(57)【要約】【課題】従来の閉塞栓は外装材のモルタルの剥離防止の確実性が低いので、確りとセパレ−タに固定できるとともに、モルタルの剥離防止効果を高められるアンカ−部材付き閉塞栓を提供する。【解決手段】モルタル素材による台形状の閉塞栓１の小径側にナット管５を埋設するとともに、その対向側の大径側表面２にリング状の基部フレ−ム６の内側に十字状の補助フレ−ム７を連結した前記基部フレ−ム６及び補助フレ−ム７の交叉部下部に、一定の長さ延長する突部８付き支柱９を５本連結して成るアンカ−部材１０を、前記した大径側表面２に基部フレ−ム６が数ミリ程度突き出る状態に前記支柱９を埋設して成るアンカ−部材１０付き閉塞栓１とする。【選択図】図１
0003130116.tif 000002
【実用新案登録請求の範囲】
【請求項１】
コンクリ−ト構築物の支承具跡穴を塞ぐ閉塞栓であって、断面が台形を成すモルタル素材による栓体の小径側にナット管を埋設し、その対向側の大径側に、基部フレ−ムと補助フレ−ムと支柱とを連結した略ド−ム状を成すアンカ−部材を形成し、そのアンカ−部材の基部フレ−ムが、前記栓体の大径側に突き出るように支柱を埋設して成る構成を特徴とするアンカ−部材付き閉塞栓。
【考案の詳細な説明】
【技術分野】
【０００１】  本考案は、コンクリ−ト構築物の壁面に残る支承具跡穴を塞ぎ、かつ、壁面仕上げ材のモルタルやタイル等の剥落を防止できるアンカ−部材付き閉塞栓に関する。
【背景技術】
【０００２】  従来より、コンクリ−ト構築物には支承具跡穴が残るため、その穴を塞ぐために別体形成されたコ−ン状の閉塞栓で塞いでいる。具体的には、コンクリ−ト構築物のモルタル外装材の剥落を防止するために、コ−ン孔を埋めるプラグ本体に金属や合成樹脂製の細い繊維材を放射状に取り付けた技術がある。（例えば、特許文献１参照）【０００３】  また、コンクリ−ト構築物のコ−ン跡を塞いで、その上に塗布するモルタルの接着補助具として、埋栓部の外面にル−プ又はフック状の係止部を設けた技術がある（例えば、特許文献２参照）【０００４】  さらに、構築物の支承具跡穴を塞ぐ閉塞栓の大径側面に、フレ−ムで形成したアンカ−部材を半埋設することで、外装材のモルタルの剥落を防止する技術がある（例えば、特許文献３参照）【０００５】
【特許文献１】実用新案実公平−２９３５９公報
【特許文献２】特開２０００−４５４９８０公報
【特許文献３】実用新案登録第３０６９０８２公報
【考案の開示】
【考案が解決しようとする課題】
【０００６】  上記するような様々な技術があり、それぞれ一定の目的は果たしている。しかし実際面においてはいずれも次のような不便や欠点がある。実用新案実公平−２９３５９公報に開示する技術は、コンクリ−ト構築物のモルタル外装材の剥落を防止するために、コ−ン孔を埋めるプラグ本体の外面に金属や合成樹脂製の細い繊維材を放射状に取り付けることで、その上に塗る外装材のモルタルの剥落を防止する技術であるが、繊維材は細く直状であり数も少ないのでモルタルの保持力は低いため、地震等のように強い力が加わるとモルタルが剥落するなどの欠点があるうえ、細い線材をプラグ本体に取り付けるには難しくコスト高となる技術である。【０００７】  また特開２０００−４５４９８０公報による技術は、コンクリ−ト構築物のコ−ン跡を塞いで、その上に塗布するモルタルの接着補助具であり、埋栓部の外面にル−プ又はフック状の係止部として細いル−プを数多く取り付けるものであるが、埋栓部と同じ素材のル−プで一体形成するにしても、異なる素材のル−プを取り付けるにしても細くて小さいのでコスト高になる。さらに、このル−プの係止部上に外装材のモルタルを塗った場合、小さくて硬質のル−プが数多く設けられているので、この上にモルタルを塗る場合かなり強く塗り込まないとル−プやフックの係止部と馴染みにくいので、均一な保持力が得られないなどの不便や欠点がある。【０００８】  さらに、実用新案登録第３０６９０８２号公報は本出願人によるよるものであり、コンクリ−ト構築物の支承具跡穴を塞ぐ閉塞栓の大径側にフレ−ムで形成したアンカ−部材を半埋設することで、外装材のモルタルの剥落を防止する技術である。しかし、アンカ−部材を設けることは剥落防止に有効であるが、構築物の支承具跡穴のセパレ−タに取り付ける方法は接着剤であるため、地震など強い揺れなどの場合は支承具跡穴から離脱して外装材のモルタルが剥落する恐れがあった。
【課題を解決するための手段】
【０００９】  本考案は上記のような従来の技術の不便や欠点を解決するために、請求項１においては、断面が台形を成すモルタル素材による栓体の小径側にナット管を埋設し、その対向側の表面に、基部フレ−ムと補助フレ−ムと支柱とを連結して略ド−ム状を成すアンカ−部材を形成する前記基部フレ−ム部を、少し突き出た状態に埋設することで、支承具跡穴のセパレ−タに強固にしてスピ−ディに取り付けられるとともに、外装材のモルタルやタイルの剥落を防止できる閉塞栓とする。
【考案の効果】
【００１０】  本考案による閉塞栓は、大径側の端部に略ド−ム状に形成したアンカ−部材の基部フレ−ムが突き出た状態に支柱を埋設しているとともに、その対向側には金属製のナット管を埋設しているため、コンクリ−トの支承具跡穴のセパレ−トにねじ込むと強固にして確実に固定されるので、一々接着剤を付ける手間も掛からないで施工作業スピ−ドが早く効率的である。【００１１】  その上に外装材のモルタルを塗ると、アンカ−部材の目は荒い格子状であるので取り込み易く、硬化した後は、外装材のモルタルやタイルの剥離や脱落する恐れがきわめて少ない閉塞栓であり、仮に大きな地震など起きた時に壁面にヒビや剥れが生じても、アンカ−部材の支柱は引き延ばされながらも外装材のモルタルを保持し得るので、モルタルやタイルの剥落による被害を最小限にとどめられる。【００１２】  また閉塞栓は指でねじ込むだけで取り付けられるので慣れない者でも簡単に取り付けられるが、その他の方法として、閉塞栓の基部フレ−ムに係合する専用のアタッチメントを作り、これを電動ドライバに取り付けて行うと飛躍的に作業スピ−ドを高められるなど、従来には見られない機能的なアンカ−部材付き閉塞栓を提供する。
【考案を実施するための最良の形態】
【００１３】  本考案の閉塞栓を図１に示す斜視図と図２に示すアンカ−部材の斜視図、図３に示すＡ−Ａ線断面図で説明する。
本考案における閉塞栓１の実施形態は、外形がコ−ン状で断面形状が台形状を成す大径側を表面２とし、小径側を裏面３とするモルタル素材の栓体４の前記裏面３側に金属製のナット管５を埋設するとともに、その対向側の大径側表面２には、リング状の基部フレ−ム６の内側に十字状の補助フレ−ム７を連結した前記基部フレ−ム６及び補助フレ−ム７の交叉部下部に、一定の長さ延長する突部８付き支柱９を５本連結して成る略ド−ム状のアンカ−部材１０をナイロン等の合成樹脂材で一体形成し、そのアンカ−部材１０を、前記した栓体４の大径側表面２に、基部フレ−ム６が数ミリ程度突き出す状態に前記支柱９を埋設して成るアンカ−部材１０付き閉塞栓１を構成する。【００１４】  本考案の実施形態による閉塞栓１は小径側裏面３にコンクリ−ト構築物の支承具跡穴１１に残るセパレ−タ１２に連結するナット管５を埋設し、その対向側の表面２には、略ド−ム状を成すアンカ−部材１０の基部フレ−ム６部が少し突き出た状態に支柱９を埋設した閉塞栓１を形成するので、閉塞栓１を支承具跡穴１１に位置するセパレ−タ１２に強固にネジ嵌合されるとともに、アンカ−部材１０の埋設側の支柱９端部に突部６を設けているので、容易に抜ける恐れが無いアンカ−部材１０付き閉塞栓１を形成する。【００１５】  本考案は以上のような実施形態に示す閉塞栓１を構成するので、施工する際は図４の（イ）図から（二）図に示すように、セパレ−タ１２の頭部が残る支承具跡穴１１に本考案の閉塞栓１をねじ込むと、（ロ）図のように閉塞栓１のナット管５とセパレ−タ１２は確りと係合し、アンカ−部材１０の基部フレ−ム６部はコンクリ−ト構築物の面と一致する状態に固定される。その上で、外装材となるモルタル１３を一定厚に塗ると、基部フレ−ム６部はモルタル１３内に塗り込められ、さらにその上に化粧材のタイル１４を張ると完成する。尚、本考案品の閉塞栓１をセパレ−タ１２に取り付ける際は基部フレ−ム６側を持ってねじ込むが、この方法以外に、例えば、基部フレ−ム６に嵌合する専用のアタッチメントを作り、これを電動ドライバに取り付けて行うと飛躍的に作業スピ−ドを高められる。【００１６】  以上のような工程を経て完成した構築物の壁面仕上げ材は、セパレ−タ１２に強固にネジ嵌合された閉塞栓１のアンカ−部材１０に食い付いているので剥れにくく、例えば、強い地震で外装材が剥れたとしても、図５に示すようにアンカ−部材１０の支柱９が引き延ばされながらも外装のモルタル１２やタイル１４を保持するので、外装材の剥落による被害を最小限にとどめられる。【００１７】  本考案は以上のような構成であるが、その実施形態において、栓体４はモルタル素材であるが合成樹脂素材でもよく、またナット管５は金属素材であるが合成樹脂製でもよい。さらにアンカ−部材１０は合成樹脂素材で一体成形されているが金属素材でも差し支えないうえ、基部スレ−ム６は角形でも他の形状でも構わないし、補助フレ−ム７の本数変えたり支柱９下部を連結してもよく、いずれも特に限定するものではない。
【図面の簡単な説明】
【００１８】
【図１】本考案のアンカ−部材付き閉塞栓を示す斜視図である
【図２】要部となるアンカ−部材を示す斜視図である。
【図３】本考案の閉塞栓を示すＡ−Ａ線断面図である。
【図４】本考案による閉塞栓の施工例手順を（イ）図から（二）図に示す参考断面図である。
【図５】本考案の閉塞栓を用いて外装材が破損した状態を示す参考図である。
【符号の説明】
【００１９】  １  閉塞栓
２  表面
３  裏面
４  栓体
５  ナット管
６  基部フレ−ム
７  補助フレ−ム
８  突部
９  支柱
１０  アンカ−部材
１１  支承具跡穴
１２  セパレ−タ
１３  モルタル
１４  タイル
【図１】
0003130116.tif 000003
【図２】
0003130116.tif 000004
【図３】
0003130116.tif 000005
【図４】
0003130116.tif 000006
【図５】
0003130116.tif 000007